【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
電磁力により作動する電磁駆動弁であって、
弁軸を含み、前記弁軸が延びる方向において往復運動をする弁要素と、
前記弁軸と連動する駆動端から枢軸端へ延び、前記枢軸端で延びる中心軸を中心に揺動する揺動部材と、
前記揺動部材の前記枢軸端を支持する支持部材と、
前記揺動部材と向かい合うように配置される電磁石とを備え、
前記電磁石は、磁性材料からなり中心軸を有するコアと、そのコアに巻かれたコイルとを含み、枢軸端側の前記コアの磁路の幅は、駆動端側の前記コアの磁路の幅よりも大きく、前記コイルは前記中心軸に対して駆動端側へオフセットされている、電磁駆動弁。
【請求項２】
磁性材料からなる突起をさらに備え、前記突起は前記揺動部材に向かって延び、前記コアの前記駆動端側の部分に設けられている、請求項１に記載の電磁駆動弁。
【請求項３】
前記コアの前記駆動端側の溶接部分に突起が設けられている、請求項１に記載の電磁駆動弁。
【請求項４】
電磁力により作動する電磁駆動弁であって、
弁要素と、
支持部材と、
前記支持部材によって支持され、前記弁要素と連動するよう作動可能な揺動部材とを備え、前記揺動部材は、前記弁要素と連動する駆動端から枢軸端へ延び、前記電磁駆動弁はさらに、
前記揺動部材と向かい合うように配置され、磁性材料からなるコアとそのコアに巻かれたコイルとを含む電磁石を備え、
前記枢軸端側の前記コアの磁路の幅は、駆動端側の前記コアの磁路の幅よりも大きく、前記コイルは前記コアの中心に対して駆動端側へオフセットされている、電磁駆動弁。
【請求項５】
前記コイルは、前記コアの中心から前記揺動部材の自由端に向かってオフセットされている、請求項４に記載の電磁駆動弁。
【請求項６】
前記電磁石は、上側電磁石と下側電磁石とを含む、請求項４に記載の電磁駆動弁。
【請求項７】
前記支持部材は、前記上側および下側電磁石を支持する、請求項６に記載の電磁駆動弁。
【請求項８】
前記上側および下側電磁石の各々は、磁気コアと、そのコアに巻かれたコイルとを含む、請求項７に記載の電磁駆動弁。
【請求項９】
前記揺動部材は、前記上側電磁石の近傍の位置と前記下側電磁石の近傍の位置との間で揺動するよう作動可能である、請求項６に記載の電磁駆動弁。
【請求項１０】
前記揺動部材は、前記上側電磁石と前記下側電磁石との間に配置されたディスクを備える、請求項９に記載の電磁駆動弁。
【請求項１１】
前記ディスクは、アーム部と軸受部とを含む、請求項１０に記載の電磁駆動弁。
【請求項１２】
前記ディスクは、前記弁要素が載置される位置へ揺動するよう作動可能である、請求項１０に記載の電磁駆動弁。
【請求項１３】
前記上側および下側電磁石の各々は、前記ディスクの駆動端に位置し、磁性材料からなる突起を含む、請求項１２に記載の電磁駆動弁。
【請求項１４】
前記突起の各々は、磁気回路の少なくとも一部を形成する、請求項１３に記載の電磁駆動弁。
【請求項１５】
前記突起の各々は薄板形状を有する、請求項１３に記載の電磁駆動弁。
【請求項１６】
前記下側電磁石の前記コアは複数の電磁鋼板を備え、各鋼板は突起を含み、前記突起同士は溶接されている、請求項１２に記載の電磁駆動弁。
【請求項１７】
電磁力により作動する電磁駆動弁であって、
弁要素と、
支持部材と、
前記支持部材によって支持され、互いに接続された上側ディスクおよび下側ディスクを備える揺動部材とを備え、前記揺動部材は、前記弁要素と連動する駆動端から枢軸端へ延び、前記電磁駆動弁はさらに、
前記ディスク間に配置され、磁性材料からなるコアとそのコアに巻かれた少なくとも１つのコイルとを含む電磁石を備え、
枢軸端側の前記コアの磁路の幅は、駆動端側の前記コアの磁路の幅よりも大きく、前記コイルは前記コアの中心に対して駆動端側へオフセットされている、電磁駆動弁。
【請求項１８】
前記少なくとも１つのコイルは、前記コアの中心に対し、前記揺動部材の自由端に向かってオフセットされている、請求項１７に記載の電磁駆動弁。
【請求項１９】
前記上側および下側ディスクの各々は、アーム部と軸受部とを含み、前記揺動部材は、前記弁要素が載置される位置へ揺動する、請求項１８に記載の電磁駆動弁。
【請求項２０】
前記弁要素は、軸と、前記軸の端に設けられた傘部とを含み、前記揺動部材は、前記弁要素の前記傘部が載置される位置へ揺動する、請求項１９に記載の電磁駆動弁。
【手続補正２】
【補正対象書類名】明細書
【補正対象項目名】０００５
【補正方法】変更
【補正の内容】
【０００５】
この発明の１つの局面に従った電磁駆動弁は、電磁力により作動する電磁駆動弁であって、弁軸を含み、弁軸が延びる方向において往復運動をする弁要素と、弁軸と連動する駆動端から枢軸端へ延び、枢軸端で延びる中心軸を中心に揺動する揺動部材と、揺動部材の枢軸端を支持する支持部材と、揺動部材と向かい合うように配置される電磁石とを備え、電磁石は、磁性材料からなり中心軸を有するコアと、そのコアに巻かれたコイルとを含み、枢軸端側のコアの磁路の幅は、駆動端側のコアの磁路の幅よりも大きく、コイルは中心軸に対して駆動端側へオフセットされている。
好ましくは、磁性材料からなる突起をさらに備え、突起は揺動部材に向かって延び、コアの駆動端側の部分に設けられている。
好ましくは、コアの駆動端側の溶接部分に突起が設けられている。
この発明の別の局面に従った電磁駆動弁は、電磁力により作動する電磁駆動弁であって、弁要素と、支持部材と、支持部材によって支持され、弁要素と連動するよう作動可能な揺動部材とを備え、揺動部材は、弁要素と連動する駆動端から枢軸端へ延び、電磁駆動弁はさらに、揺動部材と向かい合うように配置され、磁性材料からなるコアとそのコアに巻かれたコイルとを含む電磁石を備え、枢軸端側のコアの磁路の幅は、駆動端側のコアの磁路の幅よりも大きく、コイルはコアの中心に対して駆動端側へオフセットされている。
好ましくは、コイルは、コアの中心から揺動部材の自由端に向かってオフセットされている。
好ましくは、電磁石は、上側電磁石と下側電磁石とを含む。
好ましくは、支持部材は、上側および下側電磁石を支持する。
好ましくは、上側および下側電磁石の各々は、磁気コアと、そのコアに巻かれたコイルとを含む。
好ましくは、揺動部材は、上側電磁石の近傍の位置と下側電磁石の近傍の位置との間で揺動するよう作動可能である。
好ましくは、揺動部材は、上側電磁石と下側電磁石との間に配置されたディスクを備える。
好ましくは、ディスクは、アーム部と軸受部とを含む。
好ましくは、ディスクは、弁要素が載置される位置へ揺動するよう作動可能である。
好ましくは、上側および下側電磁石の各々は、ディスクの駆動端に位置し、磁性材料からなる突起を含む。
好ましくは、突起の各々は、磁気回路の少なくとも一部を形成する。
好ましくは、突起の各々は薄板形状を有する。
好ましくは、下側電磁石のコアは複数の電磁鋼板を備え、各鋼板は突起を含み、突起同士は溶接されている。
この発明の別の局面に従った電磁駆動弁は、電磁力により作動する電磁駆動弁であって、弁要素と、支持部材と、支持部材によって支持され、互いに接続された上側ディスクおよび下側ディスクを備える揺動部材とを備え、揺動部材は、弁要素と連動する駆動端から枢軸端へ延び、電磁駆動弁はさらに、ディスク間に配置され、磁性材料からなるコアとそのコアに巻かれた少なくとも１つのコイルとを含む電磁石を備え、枢軸端側のコアの磁路の幅は、駆動端側のコアの磁路の幅よりも大きく、コイルはコアの中心に対して駆動端側へオフセットされている。
好ましくは、少なくとも１つのコイルは、コアの中心に対し、揺動部材の自由端に向かってオフセットされている。
好ましくは、上側および下側ディスクの各々は、アーム部と軸受部とを含み、揺動部材は、弁要素が載置される位置へ揺動する。
好ましくは、弁要素は、軸と、軸の端に設けられた傘部とを含み、揺動部材は、弁要素の傘部が載置される位置へ揺動する。